(57)【特許請求の範囲】
【請求項１】
洗浄槽と、前記洗浄槽下方に配設した発熱体と、食器等を収納する食器かごと、前記洗浄槽内の洗浄水を循環させる洗浄水加圧手段と、空気を前記洗浄槽内に送風する送風手段と、前記洗浄水加圧手段により加圧された洗浄水を噴射する噴射孔を有したノズルと、前記洗浄槽と前記洗浄水加圧手段と前記ノズルを接続する循環経路と、前記洗浄槽と前記送風手段を接続する送風経路と、前記送風経路を前記循環経路の一部に接続し、前記ノズルの下方の循環経路部分に設けた送風口と、洗浄水加圧時はその加圧力により移動して前記送風口を閉じ、送風時は前記送風口を開く切換弁と、前記送風口とノズルとの間に設けた案内羽根を有する整流板とを備え、乾燥時は、前記ノズルから前記洗浄槽内に送風するとともに、前記ノズル下方の送風口から吐出する空気を前記案内羽根により整流して前記洗浄槽内に送風されるようにした食器洗い乾燥機。
【請求項２】
切換弁をノズルと一体的に設け、洗浄水加圧時にはその加圧力により前記ノズルの移動とともに前記送風口を閉じるようにした請求項１記載の食器洗い乾燥機。
【請求項３】
発熱体の上方を覆うように整流板を構成した請求項１記載の食器洗い乾燥機。
【請求項４】
循環経路からノズルへ洗浄水を供給する供給口を開閉する開閉弁を設け、前記開閉弁は洗浄水加圧時にその加圧力により前記供給口を開くようにした請求項１から３のいずれか１項に記載の食器洗い乾燥機。
【請求項５】
発熱体は、送風口から吐出した空気の吐出位置近傍に配設した請求項１から４のいずれか１項に記載の食器洗い乾燥機。
【請求項６】
洗浄水加圧手段及び送風手段として洗浄水及び空気を吐出する送水送風手段を設け、循環経路と送風経路を同一経路とした請求項１から５のいずれか１項に記載の食器洗い乾燥機。
【発明の詳細な説明】
【０００１】
【発明の属する利用分野】
本発明は食器の乾燥を効率的に行う食器洗い乾燥機に関するものである。
【０００２】
【従来の技術】
以下に従来の食器洗い乾燥機について説明する。従来の食器洗い乾燥機は図１３に示すように、食器７等を収納した食器かご８を所定の場所に収納した後、洗剤を投入して運転を開始するものである。
【０００３】
運転を開始するとともに、まず給水弁２が動作して洗浄水３を洗浄槽１に供給する。そして、洗浄ポンプ４が洗浄水３を加圧し、洗剤と共にノズル５に備えられた噴射孔６から洗浄水３を噴射する。こうして洗浄工程が行われる。この洗浄工程では洗浄槽１内に設けた発熱体９に通電して、洗浄水３を洗浄所定温度まで加熱する。
【０００４】
所定時間の洗浄工程を経ると、次に食器７等から洗い落とされた汚れを含む洗浄水３を排水ポンプ１０により機外に排出する。引き続いて、新たに洗浄水３を供給してノズル５に備えられた噴射孔６から再び噴射して、洗剤や残菜（食器７等に汚れとして付着していた食品のことを残菜と呼ぶ）等で汚れた食器７等をすすぐ工程を実行する。このすすぎ工程を終えると、洗浄水３を再び機外に排出する。このすすぎ工程は連続して３回繰り返される。なおこのとき、残菜は洗浄槽１に設けたフィルタ１１内に捕集される。
【０００５】
すすぎ工程を終了すると、図１４に示すように、発熱体９に通電して食器７等を乾燥する乾燥工程にはいる。この乾燥工程では、送風機１２により機外の空気が発熱体９に送り込まれ加熱される。そして、加熱された空気は洗浄槽１へ供給されて食器７等を乾燥させ、排気口１３から機外へ排出される。所定時間の乾燥工程が終了すると食器洗い乾燥機の運転は終了するものである。
【０００６】
【発明が解決しようとする課題】
しかしながら、従来の構成の食器洗い乾燥機では以下の問題を有している。つまり、図１４に示すように、乾燥工程において、送風機１２により洗浄槽１内に供給された機外の空気は、食器７及び洗浄槽１内に均一に行き渡らず排気口１３から機外へ排出されてしまう。そのため、食器７を均一に乾燥させることができないので、所定の乾燥時間を経ても食器７の満足な乾燥性能を得ることができないのである。
【０００７】
本発明は前記問題点に鑑み、空気を均一に食器及び洗浄槽内に供給するとともに、簡単で且つ低コストで、さらに信頼性の高い構成で洗浄水と空気の供給の切換を行うことを目的とする。
【０００８】
また、空気を発熱体に案内したり、洗浄槽内の隅々にまで空気を送風して食器の乾燥性能を向上させたり、食器配置の自由度を向上させたりすること、および、より多くの高温の空気を食器及び洗浄槽内に供給することをも目的とする。
【０００９】
【課題を解決するための手段】
本発明の食器洗い乾燥機は、洗浄槽と洗浄水加圧手段とノズルを接続する循環経路と、前記洗浄槽と前記送風手段を接続する送風経路と、前記送風経路を前記循環経路の一部に接続し、前記ノズルの下方の循環経路部分に設けた送風口と、洗浄水加圧時はその加圧力により移動して前記送風口を閉じ、送風時は前記送風口を開く切換弁と、前記送風口とノズルとの間に設けた案内羽根を有する整流板とを備え、乾燥時は、前記ノズルから前記洗浄槽内に送風するとともに、前記ノズル下方の送風口から吐出する空気を前記案内羽根により整流して前記洗浄槽内に送風されるようにしたものである。
【００１０】
【発明の実施の形態】
本発明の請求項１に記載の発明は、洗浄槽と、前記洗浄槽下方に配設した発熱体と、食器等を収納する食器かごと、前記洗浄槽内の洗浄水を循環させる洗浄水加圧手段と、空気を前記洗浄槽内に送風する送風手段と、前記洗浄水加圧手段により加圧された洗浄水を噴射する噴射孔を有したノズルと、前記洗浄槽と前記洗浄水加圧手段と前記ノズルを接続する循環経路と、前記洗浄槽と前記送風手段を接続する送風経路と、前記送風経路を前記循環経路の一部に接続し、前記ノズルの下方の循環経路部分に設けた送風口と、洗浄水加圧時はその加圧力により移動して前記送風口を閉じ、送風時は前記送風口を開く切換弁と、前記送風口とノズルとの間に設けた案内羽根を有する整流板とを備え、乾燥時は、前記ノズルから前記洗浄槽内に送風するとともに、前記ノズル下方の送風口から吐出する空気を前記案内羽根により整流して前記洗浄槽内に送風されるようにしたことにより、洗浄及びすすぎ工程において、洗浄水が循環経路に供給されると洗浄水の洗浄水圧が切換弁に作用する。そして、切換弁の自重よりも洗浄水圧の方が大きいので切換弁は洗浄水圧を駆動源として上昇し、送風口を塞ぐ。そのため、洗浄水はノズルへ供給され、噴射孔を介して食器等へ噴射される。
【００１１】
また、乾燥工程において、空気が送風経路及び循環経路に供給されると空気の風圧が切換弁に作用するが、切換弁の自重の方が空気の風圧よりも大きいため切換弁は上昇せず、送風口は開いたままである。そのため、空気はノズル及び噴射孔を介して食器等に供給されるだけでなく、送風口からも洗浄槽及び食器等に供給される。従って、空気は洗浄槽の底部略中央から均一に洗浄槽及び食器等に供給されるので、食器の乾燥性能を向上させたり、乾燥時間を短縮させたりすることができるという作用を有する。
【００１２】
また、乾燥工程において、送風手段により循環経路及び送風口を介して送風される空気は、整流板によりすぐ浮上することなく案内羽根で整流され、発熱体に案内されたり、洗浄槽内の隅々にまで送風されることになる。そのため、送風口から吐出された空気は確実に高温の温風となって洗浄槽内に送風され、さらに洗浄槽内の隅部に配置された食器等の乾燥性能を向上させることができる。
【００１３】
従って、洗浄槽内に常に高温の空気を送風することができ、乾燥しにくい食器等を洗浄槽内の隅部に配置しても高温の空気を送風することができるので、洗浄槽内における食器の配置の自由度を向上させることができる。また、発熱体の形状に相対して案内羽根の形状を形成すればよいので、発熱体の形状の自由度を向上させることができ、発熱体のワット密度等を低減したり、洗浄槽の形状の自由度を向上させたりすることができるという作用を有する。
【００１４】
請求項２に記載の発明は、請求項１に記載の発明に加え、切換弁をノズルと一体的に設け、洗浄水加圧時にはその加圧力により前記ノズルの移動とともに前記送風口を閉じるようにしたことにより、洗浄及びすすぎ工程において、洗浄水が循環経路に供給されると洗浄水の洗浄水圧がノズルに作用する。そして、ノズル全体の自重よりも洗浄水圧の方が大きいのでノズルは上方に移動し、同時に送風口を塞ぐ。そのため、洗浄水はノズルへ供給され、噴射孔を介して食器等へ噴射される。
【００１５】
また、乾燥工程において、空気が循環経路に供給されると空気の風圧がノズルに作用するが、ノズル全体の自重の方が空気の風圧よりも大きいためノズルは上方に移動せず送風口を開く。そのため、空気はノズル及び噴射孔を介して食器等に供給されるだけでなく、送風口からも洗浄槽及び食器等に供給される。従って、空気は洗浄槽の底部略中央から均一に洗浄槽及び食器等に供給されることになる。
【００１６】
以上より、簡単で且つ低コストであり、さらに信頼性の高い構成で洗浄水と空気の供給の切換を行うことができるという作用を有する。
【００１７】
請求項３に記載の発明は、請求項１に記載の発明に加え、発熱体の上方を覆うように整流板を構成したことにより、送風口から吐出された空気がすぐ上方へ浮上することなく確実に発熱体を通過し、加熱されてから洗浄槽内へ拡散するため、熱効率のよい乾燥を行うことができる。
【００１８】
請求項４記載の発明は、請求項１から３のいずれか１項に記載の発明に加え、循環経路からノズルへ洗浄水を供給する供給口を開閉する開閉弁を設け、前記開閉弁は洗浄水加圧時にその加圧力により前記供給口を開くようにしたものである。ここで、切換弁及び開閉弁の自重よりも洗浄水圧の方が大きいので、切換弁及び開閉弁は上昇し、切換弁は送風口を塞ぎ、開閉弁は供給口を開く。そのため、洗浄水はノズルへ供給され、噴射孔を介して食器等へ噴射される。
【００１９】
また、乾燥工程において、空気の風圧が切換弁及び開閉弁に作用するが、切換弁及び開閉弁の自重の方が空気の風圧よりも大きいため切換弁及び開閉弁は上昇しない。そのため、切換弁は送風口を開き、開閉弁は供給口を閉じるので、空気はノズル及び噴射孔へ供給されることなく、送風口からのみ供給されることになる。従って、送風手段から循環経路を介して送風される空気は全て送風口から発熱体へ直接送風されて温風となって洗浄槽及び食器等に供給されることになる。
【００２０】
以上より、より多くの高温の空気を食器及び洗浄槽内に供給することができ、食器の乾燥性能を向上させたり、乾燥時間を短縮させたりすることができるという作用を有する。
【００２１】
請求項５記載の発明は、請求項１から４のいずれか１項に記載の発明に加え、発熱体を、送風口から吐出した空気の吐出位置近傍に配設したものであり、これにより、確実に送風口からの空気が発熱体を通過して洗浄槽内に拡散するため、熱効率のよい乾燥を実現することができる。
【００２２】
請求項６記載の発明は、請求項１から５のいずれか１項に記載の発明に加え、洗浄水加圧手段及び送風手段として洗浄水及び空気を吐出する送水送風手段を設け、循環経路と送風経路を同一経路とし、構成を簡単にするとともに乾燥効率のよい食器洗い乾燥機を提供するものである。
【００２３】
【実施例】
（実施例１）
以下、本発明の第１の実施例について、図面を参照しながら説明する。
【００２４】
図１において、４１は洗浄槽、４２は洗浄水４３を洗浄槽４１内に供給する給水弁、４４は洗浄水加圧手段、４５はノズルで洗浄水４３を噴射する噴射孔４６を備えている。４７は食器４８等を洗浄槽４１内に収納する食器かご、４９は残菜等を捕集するフィルタ、５０は発熱体である。５１は洗浄水４３を機外へ排出する排水ポンプ、５２は空気を洗浄槽４１内に送風する送風手段である。５３は洗浄槽４１と洗浄水加圧手段４４とノズル４５を接続する循環経路、５４は洗浄槽４１と送風手段５２を接続する送風経路で、この循環経路５３に送風経路５４が接続されている。５５は空気を洗浄槽４１内へ供給する送風口で洗浄槽４１内にある循環経路５３に設けられている。５６は切換弁で、洗浄水４３が洗浄水加圧手段４４により加圧され循環経路５３に供給される場合は、洗浄水４３の洗浄水圧が切換弁５６に作用する。そして、図２に示すように、切換弁５６の自重よりも洗浄水圧の方が大きいので切換弁５６は上昇して送風口５５を塞ぐ。また、空気が送風経路５４及び循環経路５３に供給される場合は、空気の風圧が切換弁５６に作用するが、図３に示すように、切換弁５６の自重の方が空気の風圧よりも大きいため切換弁５６は上昇しない。５７は排気口である。
【００２５】
以上の構成において以下にその動作について説明する。洗浄槽４１内に所定量の洗剤を投入し、食器４８等を食器かご４７に収納して運転を開始する。ここでまず給水弁４２に通電することで洗浄水４３が供給される。洗浄水４３が所定量に達すると、洗浄水加圧手段４４が動作して洗剤を含む洗浄水４３を加圧する。加圧された洗浄水４３は循環経路５３を介してノズル４５に供給され、ノズル４５に備えられた噴射孔４６から噴射される。そして、洗浄水４３は洗浄槽４１及び食器４８等に供給される。こうして食器４８等を洗浄する洗浄工程が行われる。
【００２６】
この洗浄工程では、発熱体５０に通電することにより洗浄水４３は洗浄所定温度まで加熱される。所定時間の洗浄工程を経ると、次に食器４８等から洗い落とされた汚物等を含む洗浄水４３を排水ポンプ５１により排水する。引き続き、新たに洗浄水４３を供給し、ノズル４５に備えられた噴射孔４６から洗浄水４３を噴射することで洗剤や残菜等で汚れた食器４８等をすすぐ工程を行う。この工程終了後洗浄水４３を機外に排出する。そして、この工程が連続して数回繰り返されてすすぎ工程が終了する。残菜は洗浄槽４１に設けたフィルタ４９内に捕集される。すすぎ工程終了後、乾燥工程に移る。
【００２７】
乾燥工程では、図４に示すように、送風手段５２を駆動することにより空気が送風経路５４及び循環経路５３を介して送風口５５及びノズル４５に備えられた噴射孔４６から洗浄槽４１内に供給される。洗浄槽４１内へ供給された空気は洗浄された食器４８等を乾燥させ排気口５７から機外へ排出される。こうして食器４８等を所定時間乾燥させて乾燥工程を終了し、食器洗い乾燥機の運転を終了する。
【００２８】
このように構成された本発明の第１の実施例によれば、図１及び図２に示すように、洗浄及びすすぎ工程において、洗浄水４３が循環経路５３に供給されると洗浄水４３の洗浄水圧が切換弁５６に作用する。そして、切換弁５６の自重よりも洗浄水圧の方が大きいので切換弁５６は洗浄水圧を駆動源として上昇し、送風口５５を塞ぐ。そのため、洗浄水４３はノズル４５へ供給され、噴射孔４６を介して食器４８等へ噴射される。
【００２９】
また、乾燥工程において、図３及び図４に示すように、空気が送風経路５４及び循環経路５３に供給されると空気の風圧が切換弁５６に作用するが、切換弁５６の自重の方が空気の風圧よりも大きいため切換弁５６は上昇せず、送風口５５は開いたままである。そのため、空気はノズル４５及び噴射孔４６を介して食器４８等に供給されるだけでなく、送風口５５からも洗浄槽４１及び食器４８等に供給される。
【００３０】
従って、空気は洗浄槽４１の底部略中央から均一に洗浄槽４１及び食器４８等に供給されるので、食器４８の乾燥性能を向上させたり、乾燥時間を短縮させたりすることができる。
【００３１】
なお、図５に示すように、洗浄水加圧手段４４と送風手段５２を一体化した送水送風手段４４ａを搭載し、循環経路５３と送風経路５４を一体のものにした構成であってもよい。
【００３２】
（実施例２）
全体の構成は第１の実施例と同様であるので説明を省略する。ただし、図６及び図７において、ノズル４５は上下方向に移動することができ、切換弁５６はノズル４５と一体に形成されている。そして、洗浄水加圧手段４４により洗浄水４３が循環経路５３に供給される場合は、洗浄水４３の洗浄水圧によりノズル４５全体が上方に移動するとともにノズル４５は送風口５５を塞ぐ。また、送風手段５２により空気が循環経路５３に供給される場合は、ノズル４５は上方に移動しないのでノズル４５は送風口５５を開く。
【００３３】
このように構成された本発明の第２の実施例によれば、洗浄及びすすぎ工程において、図６に示すように、洗浄水４３が循環経路５３に供給されると洗浄水４３の洗浄水圧がノズル４５に作用する。そして、ノズル４５全体の自重よりも洗浄水圧の方が大きいのでノズル４５は上方に移動し、同時に送風口５５を塞ぐ。そのため、洗浄水４３はノズル４５へ供給され、噴射孔４６を介して食器４８等へ噴射される。
【００３４】
また、乾燥工程において、図７に示すように、空気が循環経路５３に供給されると空気の風圧がノズル４５に作用するが、ノズル４５全体の自重の方が空気の風圧よりも大きいためノズル４５は上方に移動せず送風口５５を開く。そのため、空気はノズル４５及び噴射孔４６を介して食器４８等に供給されるだけでなく、送風口５５からも洗浄槽４１及び食器４８等に供給される。従って、空気は洗浄槽４１の底部略中央から均一に洗浄槽４１及び食器４８等に供給されることになる。
【００３５】
以上より、簡単で且つ低コストであり、さらに信頼性の高い構成で洗浄水４３と空気の供給の切換を行うことができる。
【００３６】
（実施例３）
全体の構成は第１及び第２の実施例と同様であるので説明を省略する。ただし、図８及び図９において、５８は案内羽根であり、送風口５５から送風される空気を発熱体５０に案内したり洗浄槽４１内の隅々にまで送風したりする。
【００３７】
このように構成された本発明の第３の実施例によれば、乾燥工程において、図８及び図９に示すように、送風手段５２により循環経路５３及び送風口５５を介して送風される空気は、案内羽根５８を有する整流板５９によりたちまち浮上することなく整流され、発熱体５０に案内されたり、洗浄槽４１内の隅々にまで送風されることになる。そのため、送風口５５から吐出された空気は確実に高温の温風となって洗浄槽４１内に送風され、さらに洗浄槽４１内の隅部に配置された食器４８等の乾燥性能を向上させることができる。
【００３８】
従って、洗浄槽４１内に常に高温の空気を送風することができ、乾燥しにくい食器４８等を洗浄槽４１内の隅部に配置しても高温の空気を送風することができるので、洗浄槽４１内における食器４８の配置の自由度を向上させることができる。また、発熱体５０の形状に相対して案内羽根５８の形状を形成すればよいので、発熱体５０の形状の自由度を向上させることができ、発熱体５０のワット密度等を低減したり、洗浄槽４１の形状の自由度を向上させたりすることができる。
【００３９】
なお、図１０に示すように、発熱体５０を案内羽根５８で覆う構成とすれば洗浄槽４１内に発熱体５０が露出しないので、使用者が発熱体５０に直接触れたり、食器かご４７から落下した食器４８等が溶損したりすることがない構成とすることができる。また、発熱体５０を送風口５５に相対して配置すれば、送風口５５から送風される空気は発熱体５０により常に加熱され、高温の空気となって食器４８等に送風されるのでより良い。
【００４０】
（実施例４）
全体の構成は第１及び第３の実施例と同様であるので説明を省略する。ただし、図１１及び図１２において、５９は循環経路５３からノズル４５へ洗浄水４３を供給する供給口６０を開閉する開閉弁で、切換弁５６と一体に成形されている。
【００４１】
このように構成された本発明の第４の実施例によれば、洗浄及びすすぎ工程において、図１１に示すように、洗浄水４３の洗浄水圧が切換弁５６及び開閉弁５９に作用する。そして、切換弁５６及び開閉弁５９の自重よりも洗浄水圧の方が大きいので、切換弁５６及び開閉弁５９は上昇し、切換弁５６は送風口５５を塞ぎ、開閉弁５９は供給口６０を開く。そのため、洗浄水４３はノズル４５へ供給され、噴射孔４６を介して食器４８等へ噴射される。
【００４２】
また、乾燥工程において、図１２に示すように、空気の風圧が切換弁５６及び開閉弁５９に作用するが、切換弁５５及び開閉弁５９の自重の方が空気の風圧よりも大きいため切換弁５６及び開閉弁５９は上昇しない。そのため、切換弁５６は送風口５５を開き、開閉弁５９は供給口６０を閉じるので、空気はノズル４５及び噴射孔４６へ供給されることなく、送風口５５からのみ供給されることになる。従って、送風手段５２から循環経路５３を介して送風される空気は全て送風口５５から発熱体５０へ直接送風されて温風となって洗浄槽４１及び食器４８等に供給されることになる。
【００４３】
以上より、より多くの高温の空気を食器４８及び洗浄槽４１内に供給することができ、食器４８の乾燥性能を向上させたり、乾燥時間を短縮させたりすることができる。
【００４４】
【発明の効果】
以上のように請求項１記載の発明によれば、洗浄槽と、前記洗浄槽下方に配設した発熱体と、食器等を収納する食器かごと、前記洗浄槽内の洗浄水を循環させる洗浄水加圧手段と、空気を前記洗浄槽内に送風する送風手段と、前記洗浄水加圧手段により加圧された洗浄水を噴射する噴射孔を有したノズルと、前記洗浄槽と前記洗浄水加圧手段と前記ノズルを接続する循環経路と、前記洗浄槽と前記送風手段を接続する送風経路と、前記送風経路を前記循環経路の一部に接続し、前記ノズルの下方の循環経路部分に設けた送風口と、洗浄水加圧時はその加圧力により移動して前記送風口を閉じ、送風時は前記送風口を開く切換弁と、前記送風口とノズルとの間に設けた案内羽根を有する整流板とを備え、乾燥時は、前記ノズルから前記洗浄槽内に送風するとともに、前記ノズル下方の送風口から吐出する空気を前記案内羽根により整流して前記洗浄槽内に送風されるようにしたから、送風口から吐出された空気は案内羽根により整流され、発熱体で加熱されて均一に洗浄槽内へ供給することができ、食器の乾燥性能を向上することができる。
【００４５】
請求項２記載の発明は、切換弁をノズルと一体的に設け、洗浄水加圧時にはその加圧力により前記ノズルの移動とともに前記送風口を閉じるようにしたから、簡単且つ低コストで、信頼性の高い構成で洗浄水と空気の供給の切換を行うことができる。
【００４６】
請求項３記載の発明は、発熱体の上方を覆うように整流板を構成したから、送風口から吐出した空気を確実に発熱体に接触させることができ、熱効率のよい乾燥を実現することができる。
【００４７】
請求項４記載の発明は、循環経路からノズルへ洗浄水を供給する供給口を開閉する開閉弁を設け、前記開閉弁は洗浄水加圧時にその加圧力により前記供給口を開くようにしたから、より多くの高温の空気を洗浄槽内に供給することができ、食器の乾燥性能を向上することができる。
【００４８】
請求項５記載の発明は、発熱体を、送風口から吐出した空気の吐出位置近傍に配設したから、確実に送風口からの空気が発熱体を通過して洗浄槽内に拡散するため、熱効率のよい乾燥を実現することができる。
【００４９】
請求項６記載の発明は、洗浄水加圧手段及び送風手段として洗浄水及び空気を吐出する送水送風手段を設け、循環経路と送風経路を同一経路としたから、構成を簡単にするとともに乾燥効率をよくすることができる。
【図面の簡単な説明】
【図１】  本発明の実施例１における食器洗い乾燥機の構成図
【図２】  同食器洗い乾燥機の洗浄及びすすぎ工程でのノズル周辺部の動作図
【図３】  同食器洗い乾燥機の乾燥工程でのノズル周辺部の動作図
【図４】  同食器洗い乾燥機の乾燥工程での構成図
【図５】  同食器洗い乾燥機の送水送風手段を搭載した場合の構成図
【図６】  本発明の実施例２における食器洗い乾燥機の洗浄及びすすぎ工程でのノズルと切換弁を一体にしたノズル周辺部の動作図
【図７】  同食器洗い乾燥機の乾燥工程でのノズルを切換弁を一体にしたノズル周辺部の動作図
【図８】  本発明の実施例３における食器洗い乾燥機のノズル周辺部の動作図
【図９】  同食器洗い乾燥機のノズル周辺部を上方から見た図
【図１０】  同食器洗い乾燥機の発熱体を案内羽根で覆う構成としたノズル周辺部の動作図
【図１１】  本発明の実施例４における食器洗い乾燥機の洗浄及びすすぎ工程での切換弁と開閉弁の動作図
【図１２】  同食器洗い乾燥機の乾燥工程での切換弁と開閉弁の動作図
【図１３】  従来の食器洗い乾燥機の構成図
【図１４】  従来の食器洗い乾燥機の乾燥工程での構成図
【符号の説明】
４１  洗浄槽
４３  洗浄水
４４  洗浄水加圧手段
４４ａ  送水送風手段
４５  ノズル
４６  噴射孔
５０  発熱体
５２  送風手段
５３  循環経路
５４  送風経路
５５  送風口
５６  切換弁
５８  案内羽根
５９  開閉弁
６０  供給口
【図１】
0003820683.tif 000002
【図２】
0003820683.tif 000003
【図３】
0003820683.tif 000004
【図４】
0003820683.tif 000005
【図５】
0003820683.tif 000006
【図６】
0003820683.tif 000007
【図７】
0003820683.tif 000008
【図８】
0003820683.tif 000009
【図９】
0003820683.tif 000010
【図１０】
0003820683.tif 000011
【図１１】
0003820683.tif 000012
【図１２】
0003820683.tif 000013
【図１３】
0003820683.tif 000014
【図１４】
0003820683.tif 000015